(57)【特許請求の範囲】
【請求項１】
枠組足場内に設けられた昇降路に沿って昇降する工事用エレベータと建物躯体との間に各階ごとに仮設される取込ステージであって、ステージの左右両端側にある足場用建枠の縦地に取り付けられる梁枠取付金具と、該縦地に取り付けられた両梁枠取付金具によって、両端部の取付け高さ位置が調整されて当該両梁枠取付金具に取付けられる梁枠とを備える工事用エレベータの取込ステージ。
【請求項２】
前記梁枠に、予め腕木を取り付けた腕木取付部材をクランプ留めすることによって、梁枠上にこれと直交方向に腕木を載設し、この腕木上に金属製足場板を腕木と直交方向に敷設してなる請求項１に記載の工事用エレベータの取込ステージ。
【請求項３】
前記梁枠取付金具は、両側板と端板とからなるコ字状金具本体と、金具本体の端板に取り付けられた複数のクランプと、前記金具本体の両側板先端部の上下方向一定間隔おきに複数設けてなるボルト挿入溝とを備え、
前記金具本体を足場用建枠の縦地にクランプで固定し、梁枠位置決め用のボルトを所要のボルト挿入溝に挿入してナットで固定した状態で、金具本体内に上方より梁枠の端部を挿入し、抜け止め用のボルトを前記梁枠端部の上側にあるボルト挿入溝に挿入してナットで固定することにより、梁枠の端部を取り付けるようになっている請求項１又は２に記載の工事用エレベータの取込ステージ。
【発明の詳細な説明】
【技術分野】
【０００１】
本発明は、ビルやマンション等の建物の新築工事又は改修工事にあたって、工事用エレベータから資材等を受けるために、枠組足場内に設けられたエレベータ昇降路に沿って昇降する工事用エレベータ（一般的にロングスパンエレベータと呼ばれる）と建物躯体との間に各階ごとに仮設される取込ステージに関するものである。
【背景技術】
【０００２】
建物の新築工事又は改修工事において工事用エレベータを設置する際に、エレベータの荷台と建物躯体とをつなぐ取込ステージが各階に必要となる。この取込ステージを仮設するのに、従来では、図１０にその仮設状態の一部を示すように、ステージの左右端部に足場用建枠１，１の対向する縦地１ａ，１ａに梁枠２の両端部をクランプ３１で固定し、この梁枠２上に、現場では「ころばし」と呼ばれている腕木３を、梁枠２の長手方向と直交方向に渡して、クランプ３２で固定し、この腕木３の上には幅狭の板材３３を針金３４で縛って固定し、この板材３３上に、床材として木製足場板３５を架け渡している。この場合、木製足場板３５は、足場板長手方向に対向する足場用建枠１，１の縦地１ａ，１ａの内側に納める必要があるため、作業者が所要長さに鋸で切断している。
【発明の概要】
【発明が解決しようとする課題】
【０００３】
上記従来の取込ステージでは、梁枠２の端部を足場用建枠１の縦地１ａに交差させて、梁枠２の端部を縦地１ａに直接クランプ３１で取り付け固定していたが、建物躯体の階高が各階ごとに異なることがあり、その階高の高さに合わせて微妙に高さ調整しながら梁枠２を建枠１の縦地１ａに固定する必要があるために、その固定作業が非常に難しく、また縦地１ａには補強材１ｃ（図１０参照）の他にも、縦地接続用ピンや交差筋違の斜材取付用のピン（グラビティロックピン）が突設されていることから、梁枠２の端部がそれらに干渉することが多く、最適な高さでの取込ステージの設置が困難であった。
【０００４】
本発明は、上記の事情に鑑み、足場用建枠１の縦地１ａに対する梁枠２の取付作業が容易に行え、ステージを建物躯体の階高に合った高さに設置出来るようにした工事用エレベータの取込ステージを提供することを目的としている。
【課題を解決するための手段】
【０００５】
上記課題を解決するための手段を、後述する実施形態の参照符号を付して説明すると、請求項１に係る発明は、図２に示すように、枠組足場内に設けられた昇降路Ｏに沿って昇降する工事用エレベータＥと建物躯体Ｋとの間に各階ごとに仮設される取込ステージであって、図３に示すように、ステージＡの左右両端側にある足場用建枠１の縦地１ａに取り付けられる梁枠取付金具７と、該縦地１ａに取り付けられた両梁枠取付金具７，７によって、両端部の取付け高さ位置が調整されて当該両梁枠取付金具７，７に取り付けられる梁枠４とを備えてなることを特徴とする。
【０００６】
請求項２は、請求項１に記載の工事用エレベータの取込ステージにおいて、前記梁枠４に、予め腕木５を取り付けた腕木取付部材８，９をクランプ留めすることによって、梁枠４上にこれと直交方向に腕木５を載設し、この腕木５上に金属製足場板６を腕木５と直交方向に敷設してなることを特徴とする。
【０００７】
請求項３は、請求項１又は２に記載の工事用エレベータの取込ステージにおいて、前記梁枠取付金具７は、図５〜図７に示すように、両側板１０，１１と端板１２とからなるコ字状金具本体１３と、金具本体１３の端板１２に取り付けられた複数のクランプ１４と、前記金具本体１３の両側板１０，１１先端部の上下方向一定間隔おきに複数設けてなるボルト挿入溝１６とを備え、前記金具本体１３を足場用建枠１の縦地１ａにクランプ１４で固定し、梁枠位置決め用のボルト１５を所要のボルト挿入溝１６に挿入してナット１８で固定した状態で、金具本体１３内に上方より梁枠４の端部を挿入し、抜け止め用のボルト１５を前記梁枠４端部の上側にあるボルト挿入溝１６に挿入してナット１８で固定することにより、梁枠４の端部を取り付けるようになっていることを特徴とする。
【発明の効果】
【０００８】
上記解決手段による発明の効果を、後述する実施形態の参照符号を付して説明すると、請求項１に係る発明によれば、取込ステージを仮設するにあたり、ステージＡの左右両端側にある足場用建枠１の縦地１ａに梁枠取付金具７が取り付けられ、その縦地１ａに取り付けられた両梁枠取付金具７，７によって、梁枠４の両端部の取付け高さ位置が調整されて、その調整された高さ位置に梁枠４の両端部が当該両梁枠取付金具７，７に取り付けられている。それゆえ、縦地１ａの取付位置に補強材や縦地接続用ピンや交差筋違の斜材取付用ピンが突設されていて、それらを避けるように梁枠取付金具７が縦地１ａに取り付けられても、この梁枠取付金具７によって取付高さ位置を調整できるから、梁枠４を縦地１ａに対して所定高さ位置に取付けでき、最適な高さでの取込ステージの設置が可能となる。
【０００９】
また、請求項２の梁枠４によれば、その梁枠４に予め腕木５を取り付けた腕木取付部材８，９をクランプ留めすることによって、梁枠４上にこれと直交方向に腕木５が載設されるから、腕木５の取付作業が簡単となり、取込ステージＡの仮設作業が能率良く行える。
【００１０】
請求項３に記載のような構成の梁枠取付金具７によれば、コ字状金具本体１３を足場用建枠１の縦地１ａにクランプ１４で固定し、梁枠位置決め用のボルト１５を所要のボルト挿入溝１６に挿入してナット１８で固定した状態で、コ字状金具本体１３内にその上方より梁枠４の端部を挿入して前記梁枠位置決め用ボルト１５で支持させ、そして抜け止め用のボルト１５を前記梁枠４端部の上側にあるボルト挿入溝１６に挿入してナット１８で固定することにより、梁枠取付金具７による梁枠４の取付高さ位置の調整を簡単に行うことができる。
【図面の簡単な説明】
【００１１】
【図１】本発明の実施形態を示すもので、枠組足場及び枠組足場内に設けられた各階の取込ステージの概略正面図である。
【図２】枠組足場内に仮設された取込ステージの平面図である。
【図３】(a) は図２に示す取込ステージの正面図、(b) は取込ステージを形成する梁枠の拡大正面図である。
【図４】(a) は図２のＸ−Ｘ線拡大断面図、(b) は腕木取付部材の腕木の取付位置の調整方法を示す正面図、(c) は腕木取付部材の端面図である。
【図５】(a) は図３の(a) の矢印Ｙで示す部分の拡大図で、梁枠の取付高さ位置が最も低い場合を示し、(b) は同様な拡大図で、梁枠の取付高さ位置が最も高い場合を示し、(c) は図３の(a) の矢印Ｚで示す部分の拡大図である。
【図６】(a) は梁枠取付金具の正面図、(b) は平面図、(c) は側面図である。
【図７】(a) は梁枠取付金具の正面図で、梁枠を最も低い位置に取り付ける場合を示し、(b) は梁枠を最も高い位置に取り付ける場合を示し、(c) は平面図である。
【図８】(a) は嵌合部付き足場板一端部支持台板の正面図、(b) は平面図、(c) は側面図である。
【図９】(a-1) は足場板両端部支持台板の正面図、(a-2) は平面図、(a-3) は側面図であり、(b-1) は押え金具の正面図、(b-2) は平面図、(b-3) は側面図である。
【図１０】従来の取込ステージを示す斜視図である。
【発明を実施するための形態】
【００１２】
以下に本発明の好適な一実施形態を図面に基づいて説明すると、枠組足場及び取込ステージを示す図１〜図３において、１は足場用建枠、１ａは建枠１の縦地、１ｂは建枠１の横地を示し、２は交差筋違、３は対向する足場用建枠１，１の横地１ｂ，１ｂ間に架け渡した足場板を示し、そしてＡは本発明に係る工事用エレベータＥの取込ステージを示し、また図１においてＧは各取込ステージＡの折り畳み式ゲートを示す。
【００１３】
本発明に係る取込ステージＡは、図２に示すように、枠組足場内に設けられた工事用エレベータＥの昇降路Ｏと建物躯体Ｋとの間に各階ごとに仮設されるもので、図２及び図３から分かるように、ステージＡの左右両端側にある足場用建枠１の縦地１ａに取付高さ位置が調整可能な梁枠取付金具７をクランプ留めし、左右に対向する両梁枠取付金具７，７に梁枠４の両端部を取り付け、この梁枠４に、現場では「ころばし」と呼ばれる丸パイプ材からなる腕木５を予め取り付けた腕木取付部材８，９をクランプ留めすることにより、梁枠４上にこれと直交方向に腕木５を載設し、この腕木５上に鋼製又はアルミ製からなる金属製足場板６を腕木５と直交方向に敷設することによって形成される。尚、腕木５は丸パイプ材に限らず、角パイプ材からなるものでもよい。
【００１４】
梁枠４は、その一例を図３の(a) ，(b) に示すように、上枠材２１と、これよりも短い下枠材２２と、上枠材２１と下枠材２２とをつなぐ端部つなぎ材２３及び中間つなぎ材２４と、端部取付枠２５と、端部下側枠材２６と、端部下側枠材２６と上枠材２１とをつなぐ連結片２７とによって形成され、これらの構成部材２１〜２７は夫々丸パイプ材からなる。尚、図３の(a) において、４９は足場用建枠１の縦地１ａと梁枠４の下枠材２２との間に介装された補強枠を示す。
【００１５】
梁枠取付金具７は、図６の(a) 〜(c) に示すように、両側板１０，１１と端板１２からなるコ字状金具本体１３と、コ字状金具本体１３の端板１２の上下端部に取り付けられていて、足場用建枠１の縦地１ａに掴持固定される２つの丸パイプ用クランプ１４と、夫々頭部１５ｏがリング形状をした梁枠位置決め用及び抜け止め用の２つのボルト１５と、金具本体１３の片方の側板１０の外側面先端部に取り付けられていて、２つのボルト１５の夫々の頭部リング１５ｏが回転自在で上下方向スライド自在に挿通した側面視略コ字状のガイド棒１７と、からなるもので、コ字状金具本体１３を形成する両側板１０，１１の先端部には、水平切欠溝部ａとその奥部にある落込溝部ｂとからなるボルト挿入溝１６が、上下方向一定間隔おきに複数、例えば４つ設けられている。また、コ字状金具本体１３の下面先端部には梁枠抜け止め板１９が固着されている。
【００１６】
この梁枠取付金具７の使用に際しては、先ず、コ字状金具本体１３の端板１２に取り付けてある上下２つの丸パイプ用クランプ１４を足場用建枠１の縦地１ａに掴持して金具本体１３を固定する。そして、図６の(a) 〜(c) に示すように、ガイド棒１７に頭部リング１５ｏを挿通させた上下２つのボルト１５，１５の下方側ボルト１５を梁枠位置決め用、上方側ボルト１５を抜け止め用として、その下方側の梁枠位置決め用ボルト１５を下部側の所要のボルト挿入溝１６に挿入して、ナット１８で締め付け固定する。この状態から、コ字状金具本体１３内にその上方より梁枠４の端部枠材２５，２６，２７を挿入し、上記梁枠位置決め用ボルト１５上に支持させた後、上方側の抜け止め用ボルト１５を梁枠４の上枠材２１の上側から上部側の所要のボルト挿入溝１６に挿入してナット１８を締め付け固定し、これによって足場用建枠１の縦地１ａに対する梁枠４の取付位置を調整するようにしたものである。尚、各ボルト１５は、各ボルト挿入溝１６の水平切欠溝部ａより挿入されて、その奥部の落込溝部ｂに落とし込まれることにより、安定状態に保持される。
【００１７】
特に図７の(a) は、梁枠取付金具７に対して梁枠４を最も低い位置に取り付けた場合を示したもので、梁枠４の端部下側枠材２６は、梁枠抜け止め板１９上に支持され、最下段のボルト挿入溝１６に挿入されて固定された下方側の梁枠位置決め用ボルト１５によって抜け止めされた状態となっている。従って、この場合、梁枠抜け止め板１９は、梁枠４の端部を梁枠取付金具７に対し最も低い位置に位置決めする位置決め機能を有し、また下方側の梁枠位置決め用ボルト１５は、梁枠４の端部が梁枠取付金具７から抜け出きるのを阻止する抜け止め機能を有することになる。またこの場合、上方側の抜け止め用ボルト１５は、特に使用する必要がないため、上段側の適当なボルト挿入溝１６に挿入して固定しておけばよい。
【００１８】
また図７の(b) は、梁枠取付金具７に対して梁枠４を最も高い位置に取り付けた場合を示したもので、梁枠４の端部下側枠材２６は、上から２段目のボルト挿入溝１６に固定された下方側の梁枠位置決め用ボルト１５上に支持され、そして最上段のボルト挿入溝１６に挿入されて固定された上方側の抜け止め用ボルト１５によって抜け止めされた状態となっている。従って、この場合、下部側の梁枠４位置決め用ボルト１５は、梁枠４の端部を梁枠取付金具７に対し最も高い位置に位置決めする本来の位置決め機能を有し、上方側のボルト１５は、梁枠４の端部が梁枠取付金具７から抜け出るのを阻止する本来の抜け止め機能を有することになる。
【００１９】
腕木取付部材８は、図４及び図８の(a) 〜(c) に示すように、角パイプ材からなる下枠材２８の下面側両端部に、梁枠４の上枠材２１を掴持するための丸パイプ用クランプ２９，２９を取り付け、上記角パイプ材からなる下枠材２８の両端部側に、束材３９，３９を、角パイプ用クランプ３０，３０によって位置調整可能に取り付け、そして両束材３９，３９の上端部にわたって、下枠材２８よりも長さの長い丸パイプ材からなる腕木５を架け渡して溶接又はビス止めによって固着し、更に腕木５上に、金属製足場板６の一端部を嵌め入れた状態で支持する嵌合部３６ａ付き足場板端部支持台板３６を水平に取り付けて、一体に組み立てたものである。この腕木取付部材８は、取込ステージＡの左右端部に配置されるもので、金属製足場板６の一端部を嵌合支持する嵌合部３６ａ付き足場板端部支持台板３６を備えている。
【００２０】
上記足場板端部支持台板３６を腕木５に取り付けるには、図５の(a) ，(b) 及び図８の(a) 〜(c) から分かるように、この足場板端部支持台板３６の一側端部下面に、腕木５にコ字状のブラケット３７を所要間隔おきに複数（例えば３つ）溶接、ボルト又はリベット止め等の固着手段によって固着すると共に、上記支持台板３６を上記ブラケット３７に同じく固着手段によって固着し、これによって上記支持台板３６はブラケット３７を介して腕木５に取り付け固着される。また、各ブラケット３７と足場板端部支持台板３６とのコーナー部には補強材４０を介装している。なお、上記腕木５にコ字状のブラケット３７を一体に突出形成するようにしてもよい。
【００２１】
腕木取付部材８は、図２に示すように、取込ステージＡの左右端部に配置され、金属製足場板６の一端部を嵌合支持する嵌合部３６ａ付き足場板端部支持台板３６を有するものであるが、図４の(b) ，(c) 、図５の(c) 及び図９の(a-1) 〜(a-3) には、取込ステージＡの左右方向中間部において隣り合う金属製足場板６，６の対向する端部６ａ，６ａを支持する足場板中間部支持台板４１を備えた腕木取付部材９を示し、また図５の(c) 及び図９の(b-1) 〜(b-3) には、足場板中間部支持台板４１上に隣り合う金属製足場板６，６の対向端部６ａ，６ａを支持した状態でその上から足場板６，６の対向端部６ａ，６ａを押さえつけて固定する押え金具４２を示している。
【００２２】
腕木取付部材９は、図９の(a-1) 〜(a-3) から分かるように、角パイプ材からなる下枠材２８の下面側両端部に、梁枠４の上枠材２１を掴持するための丸パイプ用クランプ２９，２９を取り付け、上記角パイプ材からなる下枠材２８の両端部側に、束材３９，３９を、角パイプ用クランプ３０を介して位置調整可能に取り付け、そして両束材３９，３９の上端部にわたって、下枠材２８よりも長さの長い丸パイプ材からなる腕木５を架け渡して固着した構造については腕木取付部材８と同じで、この構造に加え、腕木５上に、図５の(c) に示すように隣り合う金属製足場板６，６の対向する端部６ａ，６ａを支持する足場板中間部支持台板４１を水平に取り付けて一体に組み立てたものである。
【００２３】
この足場板中間部支持台板４１の取付けも足場板端部支持台板３６と殆ど同じであり、足場板中間部支持台板４１の下面の幅方向中央部に、腕木５にコ字状のブラケット３７を所要間隔おきに複数（例えば３つ）同じく固着手段によって固着すると共に、上記支持台板４１を上記ブラケット３７に同様の固着手段によって固着し、これによって上記支持台板４１はブラケット３７を介して腕木５に取り付け固着される。また、各ブラケット３７の両側面と足場板中間部支持台板４１とのコーナー部に夫々補強材４０を介装している。なお、本件ブラケット３７も、上記と同じように、腕木５に一体に突出形成されるようにしてもよい。
【００２４】
また、足場板端部支持台板３６には、取込ステージＡの工事用エレベータＥに隣接する側で金属製足場板６の一側端面を規制する端板４３が設けられ、足場板中間部支持台板４１には、同じく工事用エレベータＥに隣接する側で金属製足場板６の一側端面を規制すると共に、押え金具４２の板状本体４５の一端部４５ａを差し込んで係止するための係止部４４が設けられている。
【００２５】
押え金具４２は、図９の(b-1) 〜(b-3) に示すように、板状本体４５と、この板状本体４５の下面の幅方向中央部に沿って取り付けられた補強部材４６と、板状本体４５の他端部４５ｂに回転自在に取り付けられた押えボルト４７とからなるもので、取付けにあたっては、図５の(c) に示すように取込ステージＡの長手方向中間部において隣り合う金属製足場板６，６の対向する端部６ａ，６ａ上に板状本体４５を載置すると共に、板状本体４５の一端部４５ａを足場板中間部支持台板４１の係止部４４に差し込んで係止した状態で、押えボルト４７の先端部を、足場板中間部支持台板４１の対向箇所に取り付けてあるナット４８にねじ込めばよい。
【００２６】
尚、腕木取付部材８，９においては、図４の(a) ，(b) 及び図８の(a) に示すように、下枠材２８下面側の左端部にあるクランプ２９はその位置に固定的に取り付けてあるが、右端部にあるクランプ２９は、位置調整可能なブラケット５０を介して取り付けられて、下枠材２８に沿って左右方向にある程度位置調整可能となっており、これによって腕木５上に取り付けられる金属製足場板６のインチサイズ又はメーターサイズに対応することができるようになっている。
【００２７】
上記のように構成される取込ステージＡの設置手順について説明すると、図３の(a) に示すように、仮設される取込ステージＡの左右両端側にある足場用建枠１の縦地１ａに、梁枠取付金具７を取込ステージＡの所定の設置高さに合わせて丸パイプ用クランプ１４によって取り付ける。この時、縦地１ａの取付位置に、補強材や縦地接続用ピンや交差筋違の斜材取付用ピン（グラビティロックピン）等があれば、それらを避けた位置に梁枠取付金具７を取り付けた後、この梁枠取付金具７によって取付位置の調整を行う。即ち、ガイド棒１７に頭部リング１５ｏが挿通した２つのボルト１５，１５の下方側の梁枠位置決め用ボルト１５を、所要のボルト挿入溝１６に挿入してナット１８で固定することにより、足場用建枠１の縦地１ａに対する梁枠４の取付高さ位置を、仮設される取込ステージＡの設置高さに合うように調整する。
【００２８】
こうして足場用建枠１の縦地１ａに梁枠取付金具７を取り付け、この梁枠取付金具７の梁枠位置決め用ボルト１５を所要高さ位置に固定した後、梁枠４の端部をコ字状金具本体１３内に挿入して、梁枠位置決め用ボルト１５上に支持させた状態とし、そして上方側の抜け止めボルト１５を、コ字状金具本体１３内に挿入されている上枠材２１の端部の上側から上部側の所要のボルト挿入溝１６に挿入し、ナット１８を締め付けて固定することにより梁枠４を所定の設置高さに固定する。この実施形態では、梁枠４は、取込ステージＡの前後方向に対向するように２つ配設されるものとする（図４の(a) ，(b) 参照）。
【００２９】
上記のように左右両端側の足場用建枠１，１の縦地１ａ，縦地１ａに梁枠取付金具７，７を介して固定した梁枠４には、その両端部に夫々腕木取付部材８を、また中間部の２箇所に腕木取付部材９を夫々取り付けることによって、前後方向に対向する２つの梁枠４，４上の端部側とその中間部２箇所に合計４本の腕木５を、梁枠４と直交する方向に載設することができる。
【００３０】
腕木取付部材８の取付けは、図４の(a) に示すように、下枠材２８の下面側両端部にある丸パイプ用クランプ２９，２９を梁枠４の上枠材２１に掴持固定させればよく、これにより腕木５を梁枠４上に載設することができる。この腕木取付部材８は、下枠材２８の両端部に取り付けてある角パイプ用クランプ３０，３０を下枠材２８に沿ってスライドさせることにより、腕木５をその長手方向に移動させて、エレベータＥとの隙間（図２参照）を容易に調整することができる。
【００３１】
腕木取付部材９の取付けは、腕木取付部材８と同様であり、図４の(b) に示すように、下枠材２８の下面側両端部の丸パイプ用クランプ２９，２９を梁枠４の上枠材２１に掴持固定させることにより、腕木５を梁枠４上に載設することができる。この腕木取付部材９も、下枠材２８の両端部にある角パイプ用クランプ３０，３０を下枠材２８に沿ってスライドさせることにより、腕木５をその長手方向に移動させて、エレベータＥとの隙間を容易に調整することができる。
【００３２】
尚、腕木取付部材８，９の一端部とエレベータＥとの隙間を調整するのは、労働安全上、工事用エレベータの荷台との隙間が３ｃｍ以内に規制することが好ましいからであり、この隙間の調整を、腕木取付部材８，９によって容易に行うことができる。
【００３３】
上記のように腕木取付部材８，９を取り付けることにより、仮設される取込ステージＡの前後方向に対向する２つの梁枠４，４上の端部側とその中間部とに夫々腕木５を梁枠４と直交する方向に載設したならば、左右両端側の腕木取付部材８に取り付けられた腕木５と中間部の腕木取付部材９に取り付けられた腕木５とに対し金属製足場板６を並列状に掛け渡し、その後に中間部の２つの腕木取付部材９，９に夫々取り付けられた腕木５，５に対し金属製足場板６を並列状に掛け渡して、ステージ全体に金属製足場板６を敷き詰める。
【００３４】
この場合、腕木取付部材８の腕木５上には金属製足場板６の一端部６ａを嵌め入れて支持する嵌合部３６ａ付き足場板端部支持台板３６が取り付けてあるから、腕木５上への金属製足場板６の敷設作業が容易となり、また腕木取付部材９の腕木５上には、隣り合う金属製足場板６，６の対向する端部６ａ，６ａを支持する足場板中間部支持台板４１が取り付けてあるから、腕木５上への金属製足場板６の敷設作業が容易になる。
【００３５】
そして、中間部の腕木取付部材９には、図５の(c) に示すように足場板中間部支持台板４１上で隣り合う金属製足場板６，６の対向端部６ａ，６ａを上から押さえつけるように押え金具４２を取り付ける。このとき、押え金具４２は、の板状本体４５の一端部４５ａを足場板中間部支持台板４１の係止部４４に差し込んで係止し、他端部４５ａを押えボルト４７で固定するから、風圧等によって吹き上がるのを防止される。
【００３６】
以上説明したように、この発明に係る取込ステージＡは、当該ステージＡの左右両端側にある足場用建枠１の縦地１ａに梁枠取付金具７が取り付けられ、その縦地１ａに取り付けられた両梁枠取付金具７，７によって、梁枠４の両端部の取付け高さ位置が調整されて、その調整された高さ位置に梁枠４の両端部が当該両梁枠取付金具７，７に取り付けられている。それゆえ、縦地１ａの取付位置に補強材１ｃ（図１０参照）や縦地接続用ピンや交差筋違の斜材取付用ピン（グラビティロックピン）が突設されていて、それらを避けるように梁枠取付金具７が縦地１ａに取り付けられても、この梁枠取付金具７によって取付高さ位置を調整できるから、梁枠４を縦地１ａに対して所定高さ位置に取付けできて、最適な高さでの取込ステージの設置が可能となる。
【００３７】
また、この取込ステージＡの仮設にあたっては、梁枠４に予め腕木５を取り付けた腕木取付部材８，９をクランプ留めすることによって、梁枠４上にこれと直交方向に腕木５が載設されるから、腕木５の取付作業が簡単容易となり、取込ステージＡの仮設作業を能率良く行うことができる。
【００３８】
また、梁枠取付金具７は、両側板１０，１１と端板１２とからなるコ字状金具本体１３と、金具本体１３の端板１２に取り付けられた複数のクランプ１４と、夫々頭部１５ｏがリング形状をした梁枠位置決め用及び抜け止め用の２つのボルト１５と、片方の側板１０の先端側に取り付けられて、各ボルト１５の頭部リング１５ｏが回転自在で上下方向スライド自在に挿通したガイド棒１７とからなり、金具本体１３の両側板１０，１１先端部にボルト挿入溝１６を上下方向一定間隔おきに複数設けてなるもので、コ字状金具本体１３を足場用建枠１の縦地１ａにクランプ１４で固定し、梁枠位置決め用のボルト１５を所要のボルト挿入溝１６に挿入してナット１８で固定した状態で、コ字状金具本体１３内にその上方より梁枠４の端部を挿入して前記梁枠位置決め用ボルト１５で支持させ、そして抜け止め用のボルト１５を前記梁枠４端部の上側にあるボルト挿入溝１６に挿入してナット１８で固定することにより、足場用建枠１の縦地１ａに対する梁枠４の高さ調整を簡単に行うことができる。
【符号の説明】
【００３９】
Ａ            取込ステージ
Ｅ            工事用エレベータ
Ｏ            エレベータの昇降路
Ｋ            建物躯体
１            足場用建枠
１ａ          足場用建枠の縦地
４            梁枠
５            腕木
６            金属製足場板
７            梁枠取付金具
８，９        腕木取付部材
１３          コ字状金具本体
１４          丸パイプクランプ
１５          梁枠位置決め用ボルト
１５ｏ        梁枠位置決め用ボルトの頭部リング
１６          ボルト挿入溝
ａ            ボルト挿入溝の水平切欠溝部
ｂ            ボルト挿入溝の落込溝部
１７          ガイド棒
１８          ナット
２９          丸パイプ用クランプ
３０          角パイプ用クランプ
３６          足場板端部支持台板
４１          足場板中間部支持台板
【図１】
0005400204.tif 000002
【図２】
0005400204.tif 000003
【図３】
0005400204.tif 000004
【図４】
0005400204.tif 000005
【図５】
0005400204.tif 000006
【図６】
0005400204.tif 000007
【図７】
0005400204.tif 000008
【図８】
0005400204.tif 000009
【図９】
0005400204.tif 000010
【図１０】
0005400204.tif 000011